【手続補正書】
【提出日】平成18年11月20日(2006.11.20)
【手続補正１】
【補正対象書類名】特許請求の範囲
【補正対象項目名】全文
【補正方法】変更
【補正の内容】
【特許請求の範囲】
【請求項１】
ネットワークを介して、複数のデバイスと通信可能な情報処理装置であって、
前記複数のデバイスに対して、デバイス情報を取得するための要求を送信する要求手段と、
前記要求手段によって送信される要求に、前記デバイスにおいてユーザが入力した、有効回数又は有効期限が設定された識別情報を、条件として設定する設定手段と、
前記条件を満たすデバイスから、前記要求に応じて送信されたデバイス情報を表示する表示手段と
を備えることを特徴とする情報処理装置。
【請求項２】
前記表示手段は、前記デバイスから送信されたデバイス情報のうち、該デバイス情報に含まれる、前記識別情報をユーザが入力した日時の情報に基づいて、最新に該識別情報が入力されたデバイスのデバイス情報を表示することを特徴とする請求項１に記載の情報処理装置。
【請求項３】
前記条件には、前記ユーザによって入力された識別情報を予め定められた期間内に登録したデバイスであることが、更に含まれることを特徴とする請求項１に記載の情報処理装置。
【請求項４】
ネットワークを介して、情報処理装置と通信可能なデバイスであって、
前記デバイスに関するデバイス情報を記憶する記憶手段と、
ユーザによって入力された、識別情報を受信する受信手段と、
前記受信手段によって受信した識別情報に、有効回数又は有効期限を設定する設定手段と、
前記情報処理装置から前記デバイス情報の送信要求を受け付ける送信要求受付手段と、
受け付けた前記送信要求に、前記受信手段で受信した識別情報が含まれ、且つ前記設定手段で前記識別情報に設定された有効回数内又は有効期限内であるか否かを判定する判定手段と、
前記判定手段によって前記識別情報が含まれ、且つ前記有効回数内又は有効期限内であると判定された場合に、前記デバイス情報を前記情報処理装置へ送信する送信手段と
を備えることを特徴とするデバイス。
【請求項５】
前記識別情報の有効期限とは、少なくとも、前記識別情報を登録した後の経過時間、及び、前記登録が有効に継続する期限日のいずれかであることを特徴とする請求項４に記載のデバイス。
【請求項６】
前記送信要求には、該送信要求に対して前記デバイス情報を送信する前記デバイスに関する第１の条件が含まれ、
前記第１の条件が、前記ユーザによって入力された識別情報を予め定められた期間内に登録したデバイスである場合に、
前記判定手段は更に、前記第１の条件を満たすか否かを判定し、
前記送信手段は、前記判定手段により前記第１の条件を満たすと更に判定された場合に、前記デバイス情報を前記情報処理装置へ送信することを特徴とする請求項４または５に記載のデバイス。
【請求項７】
ネットワークを介して、複数のデバイスと通信可能な情報処理装置の制御方法であって、
前記複数のデバイスに対して、デバイス情報を取得するための要求を送信する要求工程と、
前記要求工程において送信される要求に、前記デバイスにおいてユーザが入力した、有効回数又は有効期限が設定された識別情報を、条件として設定する設定工程と、
前記条件を満たすデバイスから、前記要求に応じて送信されたデバイス情報を表示部に表示する表示工程と
を備えることを特徴とする情報処理装置の制御方法。
【請求項８】
前記表示工程では、前記デバイスから送信されたデバイス情報のうち、該デバイス情報に含まれる、前記識別情報をユーザが入力した日時の情報に基づいて、最新に該識別情報が入力されたデバイスのデバイス情報が表示されることを特徴とする請求項７に記載の情報処理装置の制御方法。
【請求項９】
前記条件には、前記ユーザによって入力された識別情報を予め定められた期間内に登録したデバイスであることが、更に含まれることを特徴とする請求項７に記載の情報処理装置の制御方法。
【請求項１０】
ネットワークを介して、情報処理装置と通信可能なデバイスの制御方法であって、
ユーザによって入力された、識別情報を受信する受信工程と、
前記受信工程において受信した識別情報に、有効回数又は有効期限を設定する設定工程と、
前記情報処理装置から、前記デバイスに関するデバイス情報の送信要求を受け付ける送信要求受付工程と、
受け付けた前記送信要求に、前記受信工程で受信した識別情報が含まれ、且つ前記設定工程において前記識別情報に設定された有効回数内又は有効期限内であるか否かを判定する判定工程と、
前記判定工程において前記識別情報が含まれ、且つ前記有効回数内又は有効期限内であると判定された場合に、前記デバイス情報を前記情報処理装置へ送信する送信工程と
を備えることを特徴とするデバイスの制御方法。
【請求項１１】
前記識別情報の有効期限とは、少なくとも、前記識別情報を登録した後の経過時間、及び、前記登録が有効に継続する期限日のいずれかであることを特徴とする請求項１０に記載のデバイスの制御方法。
【請求項１２】
前記送信要求には、該送信要求に対して前記デバイス情報を送信する前記デバイスに関する第１の条件が含まれ、
前記第１の条件が、前記ユーザによって入力された識別情報を予め定められた期間内に登録したデバイスである場合に、
前記判定工程では更に、前記第１の条件を満たすか否かが判定され、
前記送信工程では、前記判定工程において前記第１の条件を満たすと更に判定された場合に、前記デバイス情報が前記情報処理装置へ送信されることを特徴とする請求項１０または１１に記載のデバイスの制御方法。
【請求項１３】
請求項７乃至１２のいずれか１項に記載の方法をコンピュータに実行させるためのコンピュータプログラム。
【請求項１４】
請求項１３に記載のコンピュータプログラムを格納したコンピュータで読み取り可能な記憶媒体。
【手続補正２】
【補正対象書類名】明細書
【補正対象項目名】発明の名称
【補正方法】変更
【補正の内容】
【発明の名称】情報処理装置、デバイス並びにそれらの制御方法、コンピュータプログラム、記憶媒体
【手続補正３】
【補正対象書類名】明細書
【補正対象項目名】０００９
【補正方法】変更
【補正の内容】
【０００９】
上記課題を解決するための情報処理装置としての本発明は、ネットワークを介して、複数のデバイスと通信可能な情報処理装置であって、前記複数のデバイスに対して、デバイス情報を取得するための要求を送信する要求手段と、前記要求手段によって送信される要求に、前記デバイスにおいてユーザが入力した、有効回数又は有効期限が設定された識別情報を、条件として設定する設定手段と、前記条件を満たすデバイスから、前記要求に応じて送信されたデバイス情報を表示する表示手段とを備える。
【手続補正４】
【補正対象書類名】明細書
【補正対象項目名】００１０
【補正方法】変更
【補正の内容】
【００１０】
また、上記課題を解決するためのデバイスとしての本発明は、ネットワークを介して、情報処理装置と通信可能なデバイスであって、前記デバイスに関するデバイス情報を記憶する記憶手段と、ユーザによって入力された、識別情報を受信する受信手段と、前記受信手段によって受信した識別情報に、有効回数又は有効期限を設定する設定手段と、前記情報処理装置から前記デバイス情報の送信要求を受け付ける送信要求受付手段と、受け付けた前記送信要求に、前記受信手段で受信した識別情報が含まれ、且つ前記設定手段で前記識別情報に設定された有効回数内又は有効期限内であるか否かを判定する判定手段と、前記判定手段によって前記識別情報が含まれ、且つ前記有効回数内又は有効期限内であると判定された場合に、前記デバイス情報を前記情報処理装置へ送信する送信手段とを備える。
【手続補正５】
【補正対象書類名】明細書
【補正対象項目名】００７５
【補正方法】変更
【補正の内容】
【００７５】
図７に戻って、ステップＳ７０２では、ステップＳ７０１において受け付けた探索条件の内容に基づいて、ネットワーク１０１上の全ての印刷装置１０４を探索するのか否かを判定する。即ち、図８の領域８０３における設定で、「全てのデバイスを探索」が選択されているか否かを判定する。もし、全ての印刷装置１０４を探索する設定となっている場合には（ステップＳ７０２において「ＹＥＳ」）、ステップＳ７０４へ移行する。一方、全ての印刷装置１０４を探索する設定となっていない場合には（ステップＳ７０２において「ＮＯ」）、ステップＳ７０３へ移行する。
【手続補正６】
【補正対象書類名】明細書
【補正対象項目名】００７７
【補正方法】変更
【補正の内容】
【００７７】
その後、ステップＳ７１２において、再度探索条件が全装置探索であったか否かを判定し、もし全装置探索でないと判定された場合には（ステップＳ７１１において「ＮＯ」）、ステップＳ７１３において、ステップＳ７０３において設定された属性をクリアする。もし、ＳＮＭＰのコミュニティ名が変更されている場合には、デフォルトのコミュニティ名に戻される。ここで、デフォルト設定の場合、一般的にはコミュニティ名として「ｐｕｂｌｉｃ」が使用される。その後、ステップＳ７１４において、印刷装置１０４からの応答の受信を監視する。